(57)【要約】【課題】  エアモルタル、エアミルク等の気泡混合軽量盛土材と保護壁とをより強固に一体化させ、保護壁の脱落を防止できると共に、組立が容易な壁面パネル及び保護壁を提供する。【解決手段】  保護壁の一部となるパネル部１１と、パネル部１１に直交し、垂直方向に設けられた控え壁１２とを備え、控え壁１２には、空隙１３が形成され、パネル部１１と接触する側とは反対側の端部に控え壁１２の厚みより大きい幅を備えた抵抗体１４が形成されている壁面パネル及びそれを用いた保護壁である。【選択図】        図１
2008138383.tif 000002
【特許請求の範囲】
【請求項１】
壁面パネルであって、
保護壁の一部となるパネル部と、
前記パネル部に直交し、垂直方向に設けられた控え壁とを備え、
前記控え壁には、空隙が形成され、前記パネル部と接触する側とは反対側の端部に前記控え壁の厚みより大きい幅を備えた抵抗体が形成されていることを特徴とする壁面パネル。
【請求項２】
控え壁は、パネル部に対して複数形成されていることを特徴とする請求項１記載の壁面パネル。
【請求項３】
抵抗体又は控え壁に、他の壁面パネルと連結するための連結用の貫通孔を設けたことを特徴とする請求項１又は２記載の壁面パネル。
【請求項４】
パネル部と控え壁を一体に形成したことを特徴とする請求項１乃至３のいずれか記載の壁面パネル。
【請求項５】
別々に製造したパネル部と控え壁を連結して組立式としたことを特徴とする請求項１乃至３のいずれか記載の壁面パネル。
【請求項６】
請求項１乃至５のいずれか記載の壁面パネルを縦横方向に複数配置したことを特徴とする保護壁。
【請求項７】
請求項３記載の壁面パネルを縦方向に積み上げ、連結用の貫通孔をボルトとナットで固定して連結したことを特徴とする保護壁。
【請求項８】
請求項１乃至５のいずれか記載の壁面パネルを交互にずらして積み上げたことを特徴とする保護壁。
【請求項９】
請求項１乃至５のいずれか記載の壁面パネルであって、大きさの異なる壁面パネルを組み合わせて複数縦横方向に配置したことを特徴とする保護壁。
【請求項１０】
請求項１乃至５のいずれか記載の壁面パネルであって、パネル部が傾斜を持って形成されており、当該壁面パネルを縦横方向に複数配置して斜面対応としたことを特徴とする保護壁。
【発明の詳細な説明】
【技術分野】
【０００１】
本発明は、打設するエアモルタル、エアミルク等の気泡混合軽量盛土材、またはコンクリートとの一体化を促し、耐久性の高い壁面パネル及び保護壁に関する。
【背景技術】
【０００２】
地山斜面の底部に基礎ブロックをアンカーで固定し、その基礎ブロック上にコンクリート製の壁面パネルを積み上げ、地山斜面と壁面パネルとの間にエアモルタルの盛土材を充填して保護壁を形成するものがある（特開２００２−２４２１８６号公報［特許文献１］，出願人：フリー工業株式会社等）。
【０００３】
また、壁面を構成する擁壁用パネルに組立金具をボルトで固定し、更にパネルを積み上げて組立金具同士をボルトとナットで固定するものがある（特開２００４−２３８９８４号公報［特許文献２］）。
【０００４】
【特許文献１】特開２００２−２４２１８６号公報
【特許文献２】特開２００４−２３８９８４号公報
【発明の開示】
【発明が解決しようとする課題】
【０００５】
しかしながら、従来の保護壁の構造では、エアモルタル等の気泡混合軽量盛土材と保護壁とを一体化させ、保護壁の脱落を防止できる充分強固な構造とするに至っていないという問題点があった。
また、従来の保護壁の構造では、作業に手間が掛かり、組立が大変であるという問題点もあった。
【０００６】
本発明は上記実状に鑑みて為されたもので、エアモルタル、エアミルク等の気泡混合軽量盛土材、またはコンクリートと保護壁とをより強固に一体化させ、保護壁の脱落を防止できると共に、組立が容易な壁面パネル及び保護壁を提供することを目的とする。
【課題を解決するための手段】
【０００７】
上記従来例の問題点を解決するための本発明は、壁面パネルであって、保護壁の一部となるパネル部と、パネル部に直交し、垂直方向に設けられた控え壁とを備え、控え壁には、空隙が形成され、パネル部と接触する側とは反対側の端部に控え壁の厚みより大きい幅を備えた抵抗体が形成されていることを特徴とする。
【０００８】
本発明は、上記壁面パネルにおいて、控え壁が、パネル部に対して複数形成されていることを特徴とする。
【０００９】
本発明は、上記壁面パネルにおいて、抵抗体又は控え壁に、他の壁面パネルと連結するための連結用の貫通孔を設けたことを特徴とする。
【００１０】
本発明は、上記壁面パネルにおいて、パネル部と控え壁を一体に形成したことを特徴とする。
【００１１】
本発明は、上記壁面パネルにおいて、別々に製造したパネル部と控え壁を連結して組立式としたことを特徴とする。
【００１２】
本発明は、保護壁において、上記壁面パネルを縦横方向に複数配置したことを特徴とする。
【００１３】
本発明は、保護壁において、上記壁面パネルを縦方向に積み上げ、連結用の貫通孔をボルトとナットで固定して連結したことを特徴とする。
【００１４】
本発明は、保護壁において、上記壁面パネルを交互にずらして積み上げたことを特徴とする。
【００１５】
本発明は、保護壁において、上記壁面パネルであって、大きさの異なる壁面パネルを組み合わせて複数縦横方向に配置したことを特徴とする。
【００１６】
本発明は、保護壁において、上記壁面パネルであって、パネル部が傾斜を持って形成されており、当該壁面パネルを縦横方向に複数配置して斜面対応としたことを特徴とする。
【発明の効果】
【００１７】
本発明によれば、保護壁の一部となるパネル部と、パネル部に直交し、垂直方向に設けられた控え壁とを備え、控え壁には、空隙が形成され、パネル部と接触する側とは反対側の端部に控え壁の厚みより大きい幅を備えた抵抗体が形成されている壁面パネルとしているので、気泡混合軽量盛土材と保護壁とをより強固に一体化させ、保護壁の脱落を防止できると共に、組立を容易にできる効果がある。
【００１８】
本発明によれば、控え壁が、パネル部に対して複数形成されている上記壁面パネルとしているので、壁面パネルを縦方向に安定して設置できる効果がある。
【００１９】
本発明によれば、抵抗体又は控え壁に、他の壁面パネルと連結するための連結用の貫通孔を設けた上記壁面パネルとしているので、壁面パネル間の連結を容易にできる効果がある。
【００２０】
本発明によれば、パネル部と控え壁を一体に形成した上記壁面パネルとしているので、保護壁の施工を容易にできる効果がある。
【００２１】
本発明によれば、別々に製造したパネル部と控え壁を連結して組立式とした上記壁面パネルとしているので、持ち運びに便利であり、パネル部の破損に対して交換できる効果がある。
【００２２】
本発明によれば、上記壁面パネルを縦横方向に複数配置した保護壁としているので、気泡混合軽量盛土材等と保護壁とをより強固に一体化させ、保護壁の脱落を防止できると共に、組立を容易にできる効果がある。
【００２３】
本発明によれば、上記壁面パネルを縦方向に積み上げ、連結用の貫通孔をボルトとナットで固定して連結した保護壁としているので、壁面パネル間の連結を容易し、保護壁の施工を容易にできる効果がある。
【００２４】
本発明によれば、上記壁面パネルを交互にずらして積み上げた保護壁としているので、保護壁にバリエーションを持たせることができる効果がある。
【００２５】
本発明によれば、上記壁面パネルであって、大きさの異なる壁面パネルを組み合わせて複数縦横方向に配置した保護壁としているので、保護壁にバリエーションを持たせることができる効果がある。
【００２６】
本発明によれば、上記壁面パネルであって、パネル部が傾斜を持って形成されており、当該壁面パネルを縦横方向に複数配置して斜面対応とした保護壁としているので、斜面に合わせた形状にできる効果がある。
【発明を実施するための最良の形態】
【００２７】
本発明の実施の形態について図面を参照しながら説明する。
［実施の形態の概要］
本発明の実施の形態に係る保護壁（本保護壁）は、壁面パネルの裏面に直交するよう控え壁が設けられ、その控え壁には空隙が設けられて、更に控え壁の壁面パネルとは反対側の端部には抵抗体が形成され、当該形状の控え壁によってエアモルタル、エアミルク等の気泡混合軽量盛土材（以下、単に「盛土材」と称する）又はコンクリートと保護壁とを一体化し、保護壁の脱落を防止できるものである。
【００２８】
［壁面パネルの構成：図１，２］
本発明の実施の形態に係る壁面パネルの概略について図１，２を参照しながら説明する。図１は、本発明の実施の形態に係る壁面パネルの概略図であり、図２は、壁面パネルの平面説明図である。
本発明の実施の形態に係る壁面パネル（本壁面パネル）１は、図１，２に示すように、表面が保護壁を構成するパネル部１１と、当該パネル部１１に直交して形成された控え壁１２とから基本的に構成され、控え壁１２の上下に空隙１３が形成され、更に控え壁１２のパネル１１に接触する部分とは反対側の端部に抵抗体１４が形成され、抵抗体１４の中央にはボルトを貫通させる貫通孔１５が設けられている。
また、控え壁１２に形成された空隙１３によって、盛土材を充填する際に流動し易く、壁面パネル１と盛土材との一体化を促進し、壁面パネル１を軽量化できる。
尚、上記壁面パネルは、コンクリート製であるが、それ以外の素材で製造されてもよい。
【００２９】
［抵抗体：図３，４］
壁面パネルの抵抗体について図３，４を参照しながら説明する。図３は、抵抗体の概略図であり、図４は、抵抗体の応用例の概略図である。
抵抗体１４は、図３に示すように、控え壁１２の厚みをａとすると、左右の凸部が各々ａ／２で、抵抗体１４の厚みを２ａとしている。尚、抵抗力は減少するが、左右の凸部が各々ａ／４で、抵抗体１４の厚みを１．５ａとしてもよい。
【００３０】
このような抵抗体１４を控え壁１２に形成することによって、盛土材と一体化し、壁面パネル１が盛土材から脱落するのを防止している。
抵抗体１４の応用例は、図４に示すように、（ａ）のテーパー状、（ｂ）の逆テーパー状が考えられ、更に（ｃ）に示すように、控え壁１２の一部に貫通隙１６を形成してその間隙に方形の鉄板等のプレート２０を挿入して抵抗体を形成してもよい。尚、図４（ｃ）において、プレート２０が抵抗体１４を構成するものである。
【００３１】
［別の壁面パネルの構成：図５］
別の壁面パネルとして組立式について図５を参照しながら説明する。図５は、組立式の壁面パネルの概略図である。
組立式の壁面パネルは、図５に示すように、パネル部１１’の裏面にボルト１７を埋め込みで突出させて形成しておき、別に製造した控え壁１２’をそのボルト１７に取り付けて製造する。
【００３２】
具体的には、控え壁１２’にはボルト１７に対応した貫通孔１８が設けられており、その貫通孔１８にボルト１７を貫通させてナットで固定する。
また、パネル部１１’のボルト１７を形成した部分をオスネジ用の貫通孔とし、控え壁１２’の貫通孔１８を形成した部分にメスネジ穴を形成し、パネル部１１’の正面からオスネジをメスネジ穴にねじ込んでパネル部を控え壁に固定するようにしてもよい。
【００３３】
このように、パネル部１１’と控え壁１２’を連結する組立式とすることにより、パネル部１１’と控え壁１２’を別々に搬送でき、壁面パネルを設置する前又は設置した後で、パネル部１１’が破損した場合にパネル部１１’を交換できる。
【００３４】
［壁面パネルの連結：図６］
次に、壁面パネルの連結方法について図６を参照しながら説明する。図６は、壁面パネルの連結を示す側面説明図である。
地山底面に形成された均しコンクリート２上に基礎コンクリート３を形成し、その基礎コンクリート３上に壁面パネル１を立設し、壁面パネル１における控え壁１２の底部をアンカー４により基礎コンクリート３に固定する。
【００３５】
アンカー４として、カウンターアンカーを用いているが、基礎コンクリート３に埋め込みボルトを用いて、控え壁１２を固定するようにしてもよい。
また、ホールインアンカーとしてもよい。
また、壁面パネル同士を固定するには、控え壁１２に形成された貫通孔１５にボルトを貫通させナットで固定する。
【００３６】
このような連結方法により、ボルトとナットで固定するため、組立が容易であり、パネル部１１の一辺と抵抗体１４の一点での支持になるため、連結を安定して行うことができる。
更に、壁面パネルを連結するのに、支柱が不要であり、特別なくいも不要であり、経済的で組立を容易にできる。
【００３７】
ここで、パネル部１１同士の接触部分であって、盛土材が充填される側には、開先が縦横の辺に設けられている。開先は、パネル部１１の直角の辺をテーパー状に切り取ったもので、その部分にモルタルや充填剤等を塗布して水漏れを防止している。
【００３８】
［控え壁の応用例：図７，８，９］
次に、控え壁１２の応用例について図７〜９を参照しながら説明する。図７は、控え壁の第１の応用例の側面説明図であり、図８は、控え壁の第２の応用例の側面説明図であり、図９は、控え壁の第３の応用例の側面説明図である。
【００３９】
控え壁１２の形状としては、図７〜９のようなものが考えられる。
図７の第１の控え壁では、図６と同様に、控え壁１２における抵抗体１４に設けられた貫通孔１５でボトルとナットで壁面パネルを連結している。
尚、空隙１３は、四角形又は菱形としているが、円形であってもよい。
但し、図７に示す空隙１３の形状とすることで、図７の壁面パネルを型枠にコンクリートを打設して製造する際に、型枠を逆さまにしてコンクリートを打設するものであり、図７における空隙１３の上部の形状をテーパー状とすることで、コンクリートが型枠内にスムーズに落ちて入って、壁面パネルの形成を容易にできるものである。
【００４０】
図８の第２の控え壁では、連結用の貫通孔１５が空隙１３に貫通するよう形成され、空隙１３の内側でボルトとナットで壁面パネルを連結している。
【００４１】
図９の第３の控え壁では、控え壁の垂直方向に貫通孔を形成するのではなく、控え壁１２の上下の端部に水平方向に貫通孔を設け、上下の控え壁を連結する連結板１９を当該貫通孔にボルトを通してナットで固定することで連結している。
【００４２】
図９における連結部分を壁面パネル裏面から見たのが図１０である。図１０は、図９の連結部の部分説明図である。尚、図１０では、連結板１９が控え壁１２の片方にのみ設けられているが、両方に設けるようにしてもよい。この連結板１９が上述した抵抗体１４の役割を果たすものとなっている。
【００４３】
［抵抗体が連結作用を有する応用例：図１１，１２，１３，１４，１５］
次に、抵抗体が連結作用を備える応用例について図１１〜１５を参照しながら説明する。図１１は、第１の応用例の抵抗体の側面説明図であり、図１２は、図１１の連結部材の概略図であり、図１３は、第２の応用例の抵抗体の側面説明図であり、図１４は、図１３の連結部材の概略図であり、図１５は、第３の応用例の抵抗体の側面説明図である。
【００４４】
第１の応用例の抵抗体は、図１１に示すように、控え壁１２の下側端部は上方向に凸形状となっており、また、控え壁１２の上側端部は下方向に凸形状となっており、上下の控え壁１２を重ねて、図１２に示す、端部が内側に折り曲げられたコ形状の連結部材２１を、控え壁１２の端部に水平方向から差し込んで連結を行う。
連結部材２１に横方向の幅を持たせることで抵抗体１４として機能し、更に、ボルトとナットがなくても連結可能となっている。
【００４５】
また、第２の応用例の抵抗体は、図１３，１４に示すように、控え壁１２の端部には固定ピン２２を挿入する貫通孔１２ａが設けられ、上下の端部を重ねた部分の断面積より広い開口部２１ａを設けたロ形状の連結部材２１’を控え壁１２の端部から押し込んで、更に、貫通孔１２ａに固定ピン２２を差し込んで固定するものとなっている。
固定ピン２２の代わりにボルトとナットによって固定してもよい。
【００４６】
また、第３の応用例の抵抗体は、図１５に示すように、控え壁１２の下側端部がコの字の形状となって連結部材１２ｂを形成しており、下側の控え壁１２の端部が連結部材１２ｂの凹部に差し込まれて連結するようになっている。
尚、図１５の上下を逆にして、控え壁１２の上側端部をコの字形状の連結部材１２ｂとして、上の段に設けられる控え壁１２の下側端部を挿入する構成であってもよい。
【００４７】
［組立式壁面パネルの別の例：図１６、１７］
次に、組立式壁面パネルの別の例について図１６，１７を参照しながら説明する。図１６は、組立式壁面パネルの概略図であり、図１７は、図１６の壁面パネルを連結した側面説明図である。
【００４８】
図１６に示す組立式の壁面パネルは、パネル部１１”の裏面側に控え壁１２の端部が、Ｌ字形状の取付金具３０で固定されている。
具体的には、パネル部１１”の裏面に形成されたメスネジ穴に、取付金具３０の貫通孔３０ａを介してオスネジで固定される。
また、パネル部１１”に表面まで貫通する貫通孔を形成し、取付金具３０の貫通孔３０ａを介してボルトとナットで固定するようにしてもよい。
【００４９】
また、控え壁１２にも相当する箇所に貫通孔が設けられ、取付金具３０の貫通孔３０ｂを介してボルトとナットで固定する。
尚、図１６において、控え壁１２における抵抗体１４を図２と同様の構成としたが、図４（ａ）（ｂ）のような構成としてもよい。
また、抵抗体１４を控え壁１２の上下端部に形成したが、控え壁１２の中央部に形成してもよい。
【００５０】
［その他の連結方法：図１８，１９，２０，２１］
更に、その他の連結方法について図１８〜２１を参照しながら説明する。図１８は、壁面パネルを交互に連結した第１の例の正面説明図であり、図１９は、壁面パネルを交互に連結した第２の例の正面説明図であり、図２０は、小型パネルと大型パネルを組み合わせて連結した概略図であり、図２１は、斜め壁に対応した保護壁を示す側面説明図である。
【００５１】
壁面パネルの控え壁１２は、パネル部１１の裏面中央に形成したが、図１８に示すように、横方向端部から１／４又は３／４に形成すれば、壁面パネルを交互に連結できる。
【００５２】
また、図１９に示すように、壁面パネルの横方向両端に厚みａの控え壁１２を形成したものと、壁面パネルの中央に上記控え壁１２の２倍の厚み２ａのものを形成し、壁面パネルを交互に連結するようにしてもよい。尚、厚みを２ａまでにしなくても、ａより若干大きい厚みであってもよい。
【００５３】
また、図２０に示すように、小型の壁面パネル２個の上に、大型で厚みがある壁面パネル１個を連結するようにしてもよい。小型パネル３個の上に幅３倍の大型パネルを重ねるようにしてもよく、小型パネル４個の上に幅４倍の大型パネルを重ねるようにしてもよい。
このように、大小のパネルを組み合わせて自由に保護壁を形成できる。
尚、図１８〜図２０の保護壁とすることで、保護壁にバリエーションを持たせることができる。
【００５４】
また、図２１に示すように、壁面パネルのパネル部と控え壁の形状を斜め壁に対応できる構造とすることで、斜壁にも対応できる。尚、連結用としてコマナットを用いている。
【００５５】
［別の壁面パネル：図２２］
更に、図２２に示すような壁面パネル１の形状としてもよい。図２２は、本発明の別の実施の形態に係る壁面パネルの概略図である。
図２２の壁面パネル１は、１つのパネル部１１に対して２つの控え壁１２が並行に設けられている。その控え壁１２内に２つの空隙１３が設けられている。図２２では、控え壁１２を２つとしているが、それ以上の複数としてもよい。
図２２の壁面パネル１では、上下の壁面パネルを2箇所の貫通孔１５によりボルトとナットで固定する構成であるため、より強固に連結できる。
【００５６】
［実施の形態の効果］
本壁面パネルによれば、控え壁１２に形成された抵抗体１４によって、壁面パネルを盛土材から離脱するのを防止できる効果がある。
【００５７】
また、本壁面パネルによれば、控え壁１２に形成された空隙１３に盛土材が充填されるので、壁面パネルが盛土材と一体化すると共に、壁面パネルを軽量化でき、強度を高めることができる効果がある。
【００５８】
本壁面パネルによれば、抵抗体１４によって、保護壁である壁面パネルが、十分長期に盛土材からの離脱を防ぐことができる効果がある。
【００５９】
本壁面パネルによれば、パネルの組立作業に溶接工や型枠大工などの専門職を必要とせず、積み重ねてボルトとナットで固定するだけでよいため、作業時間を短縮できる効果がある。
【００６０】
また、図５、図１６，１７に示したパネル部１１’，１１”と控え壁１２’，１２”が分離可能な組立式では、パネル部１１’，１１”が破損した場合、パネル部１１’，１１”を容易に交換できる効果がある。
【００６１】
上記実施の形態では、本壁面パネルを用いた保護壁と気泡軽量盛土材との一体化について説明したが、気泡軽量盛土材の代わりにコンクリートを充填して、コンクリートの保護壁を形成するようにしてもよい。
【産業上の利用可能性】
【００６２】
本発明は、エアモルタル、エアミルク等の気泡混合軽量盛土材、又はコンクリートと保護壁とをより強固に一体化させ、保護壁の脱落を防止できると共に、組立が容易な壁面パネル及び保護壁に好適である。
【図面の簡単な説明】
【００６３】
【図１】本発明の実施の形態に係る壁面パネルの概略図である。
【図２】壁面パネルの平面説明図である。
【図３】抵抗体の概略図である。
【図４】抵抗体の応用例の概略図である。
【図５】組立式の壁面パネルの概略図である。
【図６】壁面パネルの連結を示す側面説明図である。
【図７】控え壁の第１の応用例の側面説明図である。
【図８】控え壁の第２の応用例の側面説明図である。
【図９】控え壁の第３の応用例の側面説明図である。
【図１０】図９の連結部の部分説明図である。
【図１１】第１の応用例の抵抗体の側面説明図でである。
【図１２】図１１の連結部材の概略図でである。
【図１３】第２の応用例の抵抗体の側面説明図でである。
【図１４】図１３の連結部材の概略図でである。
【図１５】第３の応用例の抵抗体の側面説明図である。
【図１６】組立式壁面パネルの概略図でである。
【図１７】図１６の壁面パネルを連結した側面説明図である。
【図１８】壁面パネルを交互に連結した第１の例の正面説明図である。
【図１９】壁面パネルを交互に連結した第２の例の正面説明図である。
【図２０】小型パネルと大型パネルを組み合わせて連結した概略図である。
【図２１】斜め壁に対応した保護壁を示す側面説明図である。
【図２２】本発明の別の実施の形態に係る壁面パネルの概略図である。
【符号の説明】
【００６４】
１…壁面パネル、  ２…均しコンクリート、  ３…基礎コンクリート、  ４…アンカー、  １１…パネル部、  １２…控え壁、  １２ａ…貫通孔、  １２ｂ…連結部材、  １３…空隙、  １４…抵抗体、  １５…貫通孔、  １６…貫通隙、  １７…ボルト、  １８…貫通孔、  １９…連結板、  ２０…プレート、  ２１…連結部材、  ２１ａ…開口部、  ２２…固定ピン、  ３０…取付金具、  ３０ａ…貫通孔、  ３０ｂ…貫通孔
【図１】
2008138383.tif 000003
【図２】
2008138383.tif 000004
【図３】
2008138383.tif 000005
【図４】
2008138383.tif 000006
【図５】
2008138383.tif 000007
【図６】
2008138383.tif 000008
【図７】
2008138383.tif 000009
【図８】
2008138383.tif 000010
【図９】
2008138383.tif 000011
【図１０】
2008138383.tif 000012
【図１１】
2008138383.tif 000013
【図１２】
2008138383.tif 000014
【図１３】
2008138383.tif 000015
【図１４】
2008138383.tif 000016
【図１５】
2008138383.tif 000017
【図１６】
2008138383.tif 000018
【図１７】
2008138383.tif 000019
【図１８】
2008138383.tif 000020
【図１９】
2008138383.tif 000021
【図２０】
2008138383.tif 000022
【図２１】
2008138383.tif 000023
【図２２】
2008138383.tif 000024